(57)【要約】      （修正有）【課題】電子看板又は電子看板の表示を制御する表示制御サーバの試験を行うための防災システムを提供する。【解決手段】防災システム１は、表示装置６又は表示制御サーバ７の試験を行うための試験信号を送信する試験信号送信部と、試験信号送信部により送信された試験信号を受信する試験信号受信部を備える。試験信号受信部により試験信号が受信されると、表示装置６又は表示制御サーバ７は試験を行う。【選択図】図１
2020184348.tif 000002
【特許請求の範囲】
【請求項１】
施設の各所に設置された火災感知手段から火災感知信号を受信する火災感知信号受信部と、
前記火災感知信号受信部により火災感知信号が受信されると、火災情報信号を送信する火災情報信号送信部と、
前記火災情報信号送信部により送信された火災情報信号を受信する火災情報信号受信部と、
前記火災情報信号受信部により火災情報信号が受信されると、当該火災情報信号に対応した防災情報を、前記施設の各所に設置された電子看板に表示させる防災情報表示制御部と、
前記電子看板、又は前記防災情報表示制御部を備える表示制御サーバの試験を行うための試験信号を送信する試験信号送信部と、
前記試験信号送信部により送信された試験信号を受信する試験信号受信部と、
前記試験信号受信部により試験信号が受信されると、前記電子看板又は前記表示制御サーバは試験を行うことを特徴とする防災システム。
【請求項２】
前記試験信号受信部により試験信号が受信されると、試験信号が受信されたことを通知する試験表示情報を前記電子看板に表示させる試験表示制御部をさらに備えることを特徴とする請求項１に記載の防災システム。
【請求項３】
前記試験表示情報は、前記電子看板を特定するための電子看板特定情報を含み、
前記試験表示情報に基づいて携帯端末により入力されて送信される前記電子看板特定情報を受信する電子看板特定情報受信部と、
前記電子看板特定情報受信部により電子看板特定情報が受信されると、当該電子看板特定情報に基づいて、前記試験表示情報が表示された電子看板を特定する電子看板特定部と
をさらに備えることを特徴とする請求項２に記載の防災システム。
【請求項４】
前記電子看板の試験を指示する試験指示信号を携帯端末から受信する試験指示信号受信部をさらに備え、
前記試験信号送信部は、前記試験指示信号受信部により試験指示信号が受信されると、前記電子看板の試験を行うための試験信号を送信する
ことを特徴とする請求項２又は３に記載の防災システム。
【発明の詳細な説明】
【技術分野】
【０００１】
本発明は、施設内で火災が発生したときに、当該施設内に設置される電子看板に防災情報を表示させるための防災システムに関する。
【背景技術】
【０００２】
従来、施設内で火災が発生した場合に、当該施設内に設置される表示装置に防災情報を表示させて、施設利用者に通知するための防災システムが知られている。例えば、特許文献１には、商業施設に配置された広告ディスプレイ装置を利用して、防災情報を施設利用者に知らせるための防災情報表示システムが記載されている。
【先行技術文献】
【特許文献】
【０００３】
【特許文献１】特許第６００９８６３号公報
【発明の概要】
【発明が解決しようとする課題】
【０００４】
防災情報を表示するための表示装置を備える防災システムは、実際に火災が発生したときに確実に動作するように、定期的に動作確認を行う必要がある。
本発明はこのような事情に鑑みてなされたものであり、電子看板又は電子看板の表示を制御する表示制御サーバの試験を行うための防災システムを提供することを目的とする。
【課題を解決するための手段】
【０００５】
上記の課題を解決するため、本発明に係る防災システムは、施設の各所に設置された火災感知手段から火災感知信号を受信する火災感知信号受信部と、前記火災感知信号受信部により火災感知信号が受信されると、火災情報信号を送信する火災情報信号送信部と、前記火災情報信号送信部により送信された火災情報信号を受信する火災情報信号受信部と、前記火災情報信号受信部により火災情報信号が受信されると、当該火災情報信号に対応した防災情報を、前記施設の各所に設置された電子看板に表示させる防災情報表示制御部と、前記電子看板、又は前記防災情報表示制御部を備える表示制御サーバの試験を行うための試験信号を送信する試験信号送信部と、前記試験信号送信部により送信された試験信号を受信する試験信号受信部と、前記試験信号受信部により試験信号が受信されると、前記電子看板又は前記表示制御サーバは試験を行うことを特徴とする。
【発明の効果】
【０００６】
本発明に係る防災システムによれば、電子看板又は電子看板の表示を制御する表示制御サーバの試験を行うことができる。
【図面の簡単な説明】
【０００７】
【図１】防災システム１の構成の一例を示す図である。
【図２】火災受信機５の構成の一例を示す図である。
【図３】火災受信機５が記憶するデータベースの一例を示す図である。
【図４】表示装置６の構成の一例を示す図である。
【図５】試験表示情報の表示例を示す図である。
【図６】表示制御サーバ７の構成の一例を示す図である。
【図７】表示制御サーバ７が記憶するデータベースの一例を示す図である。
【図８】携帯端末９の構成の一例を示す図である。
【図９】防災情報表示動作の一例を示すフローチャートである。
【図１０】手動試験の動作例を示すシーケンスチャートである。
【図１１】表示制御サーバ７の試験動作の一例を示すシーケンスチャートである。
【図１２】表示装置６Ａの構成の一例を示す図である。
【図１３】表示装置６Ａにより実行される防災情報表示動作の一例を示すフローチャートである。
【図１４】表示装置６Ａの試験動作の一例を示すシーケンスチャートである。
【発明を実施するための形態】
【０００８】
１．実施形態
１−１．防災システム１の構成
図１は、本発明の一実施形態に係る防災システム１の構成の一例を示す図である。防災システム１は、自動火災報知設備２（以下、「自火報設備２」）と、表示システム３と、携帯端末９とを備える。
【０００９】
１−１−１．自火報設備２の構成
自火報設備２は、防火対象物である施設に設置される。ここで施設とは、駅やデパートやショッピングセンター等の商業施設や、空港等の公共施設や、病院等の医療施設や、大学等の教育施設である。自火報設備２は、施設の各所に設置される火災感知器４と、施設の防災センタに設置される火災受信機５とを備える。火災感知器４と火災受信機５は、信号線を介して接続される。火災受信機５は、直接または通信回線８を介して表示制御サーバ７とも接続される。ここで通信回線８は、例えば、インターネットや無線ＬＡＮ等の通信ネットワークである。自火報設備２は、Ｐ型設備であってもＲ型設備であってもよい。以下の説明において、自火報設備２がＲ型設備であるものとする。
【００１０】
１−１−１−１．火災感知器４の構成
火災感知器４は火災感知手段の一例であり、例えば光電式の煙感知器である。火災感知器４は、図示を省略するが、火災時に発生する煙を検知して火災を検出する火災検出部と、火災検出部が火災を検出すると自己の識別情報であるアドレスを含む火災感知信号を火災受信機５に送信する信号送信部とを備える。なお、変形例として、火災感知器４は、熱感知器や炎感知器等の他の種類の感知器であってもよい。
【００１１】
１−１−１−２．火災受信機５の構成
図２は、火災受信機５の構成の一例を示す図である。火災受信機５は、制御部５１と、記憶部５２と、表示部５３と、操作入力部５４と、第１通信部５５と、第２通信部５６とを備える。
【００１２】
制御部５１は、ＣＰＵ等の演算処理装置とＲＡＭ等の揮発性メモリとを備え、記憶部５２に記憶されるプログラムを実行する。記憶部５２は、ＨＤＤやフラッシュメモリ等の記憶装置であり、制御部５１により実行されるプログラムと、感知器データベース５２１と、試験結果データベース５２２を記憶する。図３（ａ）は、感知器データベース５２１の一例を示す図である。感知器データベース５２１は、火災感知器４のアドレスと対応付けて、当該感知器の設置場所の地区番号及び地区名称を格納する。図３（ｂ）は、試験結果データベース５２２の一例を示す図である。試験結果データベース５２２は、試験日時と対応付けて、表示システム３の表示装置６の表示装置アドレスと、通信機能又は経路の状態と、表示機能の状態とを格納する。なお、変形例として、記憶部５２は外部記憶装置であってもよい。次に、表示部５３は、液晶ディスプレイや有機ＥＬディスプレイ等の表示器である。操作入力部５４は、操作ボタンやタッチパネル等の入力装置である。第１通信部５５は、火災感知器４と信号線を介して通信を行うための通信インタフェースである。第２通信部５６は、表示制御サーバ７と通信回線８を介して通信を行うための通信インタフェースである。
【００１３】
火災受信機５の制御部５１は、記憶部５２に記憶されるプログラムを実行することにより、火災感知信号受信部５１１と、火災判定部５１２と、火災情報信号送信部５１３と、試験指示信号送信部５１４と、試験結果情報受信部５１５とを備える。
【００１４】
火災感知信号受信部５１１は、火災感知器４から火災感知信号を受信すると、感知器データベース５２１を参照して、当該信号に含まれるアドレスに対応する設置場所を特定する。また、火災感知信号受信部５１１は、図示せぬ発信機から信号線を介して火災信号を受信する。
【００１５】
火災判定部５１２は、火災感知信号受信部５１１により受信された信号に基づいて火災の発生を判定する。具体的には、２台目の火災感知器４から火災感知信号が受信された場合と、１台目の火災感知器４から火災感知信号が受信されてから一定時間が経過した場合と、発信機から火災信号が受信された場合に、火災の発生を判定する。また、火災判定部５１２は、操作入力部５４を用いて火災確定操作がなされた場合にも火災の発生を判定する。
【００１６】
火災情報信号送信部５１３は、火災感知信号受信部５１１により火災感知信号が受信されると、表示制御サーバ７に対して火災情報信号を送信する。具体的には、火災感知器４が作動したことを通知する感知器発報信号を表示制御サーバ７に送信する。この感知器発報信号には、作動した火災感知器４のアドレスと設置場所情報とが含まれる。なお、感知器発報情報信号は、作動した火災感知器４のアドレスのみとしてもよい。また、火災情報信号送信部５１３は、火災判定部５１２により火災の発生が判定されると、火災の確定を通知する火災確定信号を表示制御サーバ７に送信する。また、火災情報信号送信部５１３は、操作入力部５４を用いて復旧操作がなされると、非火災信号を表示制御サーバ７に送信する。
【００１７】
試験指示信号送信部５１４は、操作入力部５４により試験の指示が受け付けられると、又は定期的に（例えば１週間ごとに）、表示装置６の試験を指示する試験指示信号を表示制御サーバ７に対して送信する。この試験指示信号には、試験対象とすべき個別の表示装置６のアドレスが含まれてもよい。
【００１８】
試験結果情報受信部５１５は、表示制御サーバ７から試験結果情報を受信し、試験結果データベース５２２に格納する。その際、受信した試験結果情報を参照して、機能や通信経路に異常を有する表示装置６を検出した場合には、表示部５３や図示せぬ表示灯や音響装置を介して異常を警報し、現場作業者に対応を促す。
【００１９】
１−１−２．表示システム３の構成
表示システム３は、防火対象物である各種の施設で日常的に用いられるものであり、施設の各所に設置される表示装置６と、表示制御サーバ７とを備える。表示装置６と表示制御サーバ７は、通信回線８を介して接続される。
【００２０】
１−１−２−１．表示装置６の構成
図４は、表示装置６の構成の一例を示す図である。表示装置６はデジタルサイネージである。ここでデジタルサイネージとは、電子的な表示装置を備え、広告やフロアガイド、ニュース等の情報を表示する電子看板である。デジタルサイネージ（業務用表示装置）に表示される情報は、当該装置に記憶される情報を更新することで変更することができ、表示情報を一定時間ごとに表示を切り替えることもできる。デジタルサイネージは、建物の各所に設置される。この表示装置６は、制御部６１と、記憶部６２と、表示部６３と、通信部６４とを備える。
【００２１】
制御部６１は、ＣＰＵ等の演算処理装置とＲＡＭ等の揮発性メモリとを備え、記憶部６２に記憶されるプログラムを実行する。記憶部６２は、ＨＤＤやフラッシュメモリ等の記憶装置であり、制御部６１により実行されるプログラムと、広告やフロアガイド等の非防災情報と、非防災情報の表示スケジュールと、自己の識別情報である表示装置アドレスを記憶する。表示部６３は、プラズマディスプレイや液晶ディスプレイやプロジェクタ等の表示器である。表示部６３は、通常、制御部６１による制御の下、記憶部６２に記憶される非防災情報を表示スケジュールに従って表示する。通信部６４は、表示制御サーバ７と通信回線８を介して通信を行うための通信インタフェースである。
【００２２】
表示装置６の制御部６１は、記憶部６２に記憶されるプログラムを実行することにより、防災情報表示指示受信部６１１と、防災情報表示制御部６１２と、試験信号受信部６１３と、試験応答信号送信部６１４と、試験表示制御部６１５という機能を実現する。
【００２３】
防災情報表示指示受信部６１１は、表示制御サーバ７から防災情報表示指示を受信する  。
【００２４】
防災情報表示制御部６１２は、防災情報表示指示受信部６１１により防災情報表示指示が受信されると、当該表示指示に従って表示部６３に防災情報を表示させる。具体的には、感知器発報画面の表示を指示されると、表示部６３の表示を非防災情報から感知器発報画面に切り替える。火災画面の表示を指示されると、表示部６３の表示を非防災情報又は感知器発報画面から火災画面に切り替える。火災画面がすでに表示されている場合には、火災画面を更新する。非火災画面の表示を指示されると、表示部６３の表示を感知器発報画面から非火災画面に切り替える。
【００２５】
試験信号受信部６１３は、表示制御サーバ７から試験信号を受信する。
【００２６】
試験応答信号送信部６１４は、試験信号受信部６１３により試験信号が受信されると、表示装置６の試験の結果を示す試験応答信号を、表示制御サーバ７に対して送信する。具体的には、試験信号が受信されると、表示部６３が認識されるか否かを判定し、表示部６３が認識されない場合には（例えば、表示部６３が故障しているか、またはその接続が外れている場合には）、自装置のアドレスを含む異常信号を表示制御サーバ７に対して送信する。一方、表示部６３が認識される場合には、自装置のアドレスを含む正常信号を表示制御サーバ７に対して送信する。これらの異常信号及び正常信号は、表示装置６の表示機能の状態を示すとともに、表示制御サーバ７により受信された場合には、表示装置６の通信機能と通信経路が正常であることを示すことになる。もしも通信機能と通信経路のうち、いずれかに異常が生じている場合には、これらの信号は表示制御サーバ７により受信されることはない。
【００２７】
試験表示制御部６１５は、試験信号受信部６１３により試験信号が受信されると、試験信号が受信されたことを通知する試験表示情報を、所定時間（例えば５〜１０秒）、表示部６３に表示させる。試験表示情報とは、例えば、「試験中」というメッセージである。図５は、表示部６３に表示される試験表示情報の例を示す図である。試験表示情報は、図５（ａ）に示すように、非防災情報表示画面の片隅に表示されてもよいし、図５（ｂ）に示すように、非防災情報表示画面を９５％に縮小して形成されるＬ字型の余白に表示されてもよいし、図５（ｃ）に示すように、非防災情報表示画面の左右を９５％に縮小して形成される門型の余白に表示されてもよい。また別の例として、試験表示情報を含む画面を、非防災情報表示画面から短時間（例えば０．５〜１秒）切り替えて表示するようにしてもよい。なお、試験表示情報は、現場作業者が試験中であることがわかる表示であればよく、上記のＬ字状の余白を作るだけでもよく、所定の図形を表示するようにしてもよい。
【００２８】
１−１−２−２．表示制御サーバ７の構成
図６は、表示制御サーバ７の構成の一例を示す図である。表示制御サーバ７は、火災受信機５から送信される火災情報信号に基づいて、表示装置６に防災情報を表示させるコンピュータ装置である。この表示制御サーバ７は、制御部７１と、記憶部７２と、通信部７３とを備える。
【００２９】
制御部７１は、ＣＰＵ等の演算処理装置とＲＡＭ等の揮発性メモリとを備え、記憶部７２に記憶されるプログラムを実行する。記憶部７２は、ＨＤＤやフラッシュメモリ等の記憶装置であり、制御部７１により実行されるプログラムと、表示装置６に表示させる防災情報とを記憶する。ここで防災情報とは、具体的には、防災情報を通知する防災画面の情報である。より具体的には、火災感知器４が作動したことを通知する感知器発報画面と、火災の確定を通知するとともに火災の発生場所と表示装置６の閲覧者の現在位置を通知する火災画面と、たばこの煙等による非火災の場合に火災が発生していないことが確認されたことを通知する非火災画面の情報である。
【００３０】
また、記憶部７２は、火災情報信号データベース７２１と、表示装置データベース７２２と、連動データベース７２３と、試験結果データベース７２４とを記憶する。図７（ａ）は、火災情報信号データベース７２１の一例を示す図である。火災情報信号データベース７２１は、火災受信機５から受信される各火災情報信号について、信号の受信日時と、信号の種類と、信号に含まれる火災感知器４のアドレスとを対応付けて格納する。図７（ｂ）は、表示装置データベース７２２の一例を示す図である。表示装置データベース７２２は、施設の各所に設置される表示装置６のアドレスと対応付けて、当該装置の設置場所の地区番号及び地区名称を格納する。図７（ｃ）は、連動データベース７２３の一例を示す図である。連動データベース７２３は、火災感知器４が作動した際に、当該事象を表示させるべき表示装置６を特定するために参照されるデータベースである。連動データベース７２３は、火災感知器４のアドレスと表示装置６のアドレスとを対応付けて格納する。最後に、試験結果データベース７２４は、その構成が、図３（ｂ）に例示する試験結果データベース５２２と共通するため、その説明を省略する。なお、変形例として、記憶部７２は外部記憶装置であってもよい。
【００３１】
通信部７３は、火災受信機５及び表示装置６と通信回線８を介して通信を行うための通信インタフェースである。
【００３２】
表示制御サーバ７の制御部７１は、記憶部７２に記憶されるプログラムを実行することにより、火災情報信号受信部７１１と、表示先特定部７１２と、防災情報生成部７１３と、防災情報表示制御部７１４と、試験指示信号受信部７１５と、試験信号送信部７１６と、試験応答信号受信部７１７と、試験結果情報送信部７１８という機能を実現する。
【００３３】
火災情報信号受信部７１１は、火災受信機５の火災情報信号送信部５１３により送信される火災情報信号を受信する。具体的には、感知器発報信号、火災確定信号又は非火災信号を受信する。火災情報信号を受信すると、当該信号の情報を受信日時と対応付けて火災情報信号データベース７２１に登録する。
【００３４】
表示先特定部７１２は、火災情報信号受信部７１１により火災情報信号が受信されると、防災情報を表示すべき表示装置６を特定する。具体的には、感知器発報信号又は非火災信号が受信されると、火災情報信号データベース７２１と連動データベース７２３とを参照して表示装置６を特定する。より具体的には、火災情報信号データベース７２１を参照して、それまでに作動した火災感知器４を特定し、次に連動データベース７２３を参照して、特定した火災感知器４に対応付けられている表示装置６を特定する。一方、火災確定信号が受信されると、表示装置データベース７２２を参照して表示装置データベース７２２に登録されているすべての表示装置６を特定する。
【００３５】
防災情報生成部７１３は、火災情報信号受信部７１１により火災情報信号が受信されると、受信された火災情報信号に対応する防災情報を取得又は生成する。具体的には、第１報の感知器発報を示す感知器発報信号が受信されると、感知器発報画面情報を記憶部７２から取得する。第２報以降の感知器発報を示す感知器発報信号又は火災確定信号が受信されると、火災画面情報を記憶部７２から取得する。そして、火災情報信号データベース７２１を参照して、それまでに作動した火災感知器４の場所（すなわち火災発生場所）を、火災画面に示される施設の地図上にプロットする。また、表示装置データベース７２２を参照して、表示先特定部７１２により特定された表示装置６の設置場所（すなわち閲覧者の現在位置）を、火災画面に示される施設の地図上にプロットして、表示装置６に送信する火災画面情報を生成する。非火災信号が受信された場合には、非火災画面情報を記憶部７２から取得する。
【００３６】
防災情報表示制御部７１４は、火災情報信号受信部７１１により火災情報信号が受信されると、受信された火災情報信号に対応した防災情報を表示装置６に表示させる。具体的には、表示先特定部７１２により特定された表示装置６に対して、防災情報生成部７１３により当該装置のために取得又は生成された防災画面情報を含む防災情報表示指示を送信する。
【００３７】
試験指示信号受信部７１５は、火災受信機５の試験指示信号送信部５１４、又は携帯端末９の試験指示信号送信部９１１により送信される試験指示信号を受信する。
【００３８】
試験信号送信部７１６は、試験指示信号受信部７１５により試験指示信号が受信されると、表示装置６の試験を行うための試験信号を表示装置６に対して送信する。その際、受信された試験指示信号に、試験対象とすべき個別の表示装置６のアドレスが含まれている場合には、当該アドレスにより識別される表示装置６に対して試験信号を送信する。個別の表示装置６のアドレスが含まれていない場合には、表示装置データベース７２２に登録されているすべての表示装置６に対して試験信号を送信する。試験信号送信部７１６は、試験信号の送信後、送信日時と、送信先の表示装置６のアドレスとを対応付けて、試験結果データベース７２４に格納する。
【００３９】
試験応答信号受信部７１７は、表示装置６の試験応答信号送信部６１４により送信される試験応答信号を受信する。試験応答信号として、正常信号が受信された場合には、当該信号に含まれる表示装置アドレスと対応付けて、通信機能又は経路の状態「正常」と、表示機能の状態「正常」を試験結果データベース７２４に格納する。一方、異常信号が受信された場合には、当該信号に含まれる表示装置アドレスと対応付けて、通信機能又は経路の状態「正常」と、表示機能の状態「異常」を試験結果データベース７２４に格納する。正常信号と異常信号のいずれも受信されないまま、試験信号の送信後、所定時間が経過した場合には、表示装置６が「無応答」であると判断し、いずれの信号も受信されない表示装置６のアドレスと対応付けて、通信機能又は経路の状態「異常」と、表示機能の状態「不明」を試験結果データベース７２４に格納する。
【００４０】
試験結果情報送信部７１８は、試験結果データベース７２４に格納されている試験結果情報を、火災受信機５に対して送信する。その際、特に、試験結果データベース７２４に格納されている試験結果情報のうち、直近の試験指示信号を受信してから試験結果データベース７２４に格納された試験結果情報（言い換えると、最近の試験の結果情報）を、火災受信機５に対して送信する。その際、送信される試験結果情報が、携帯端末９からの指示に応じて行われた試験の結果を示す情報である場合には、当該試験結果情報を携帯端末９に対しても送信する。
【００４１】
１−１−３．携帯端末９の構成
図８は、携帯端末９の構成の一例を示す図である。携帯端末９は、表示装置６の試験を行う現場作業者により携帯される端末である。具体的には、スマートフォンや携帯電話機やタブレット端末やウェアラブル端末である。この携帯端末９は、制御部９１と、記憶部９２と、表示部９３と、操作入力部９４と、通信部９５とを備える。
【００４２】
制御部９１は、ＣＰＵ等の演算処理装置とＲＡＭ等の揮発性メモリとを備え、記憶部９２に記憶されるプログラムを実行する。記憶部９２は、フラッシュメモリ等の記憶装置であり、制御部９１により実行されるプログラムを記憶する。表示部９３は、液晶ディスプレイや有機ＥＬディスプレイ等の表示器である。操作入力部９４は、操作ボタンやタッチパネル等の入力装置である。通信部９５は、表示制御サーバ７と通信回線８を介して通信を行うための通信インタフェースである。
【００４３】
制御部９１は、記憶部９２に記憶されるプログラムを実行することにより、試験指示信号送信部９１１と、試験結果情報受信部９１２いう機能を実現する。
【００４４】
試験指示信号送信部９１１は、操作入力部９４により試験の指示が受け付けられると、表示装置６の試験を指示する試験指示信号を表示制御サーバ７に対して送信する。その際、操作入力部９４により、試験対象とすべき個別の表示装置６のアドレスが受け付けられた場合には、受け付けられたアドレスを含む試験指示信号を表示制御サーバ７に対して送信する。なお、個別の表示装置６のアドレスの指定は、表示部９３に表示される地図上の表示装置６のマークを選択することにより行われてもよい。または、音声入力により行われてもよい。または、表示装置６の筺体に取り付けられる、当該装置のアドレスを示す二次元コードを、携帯端末９により読み取ることにより行われてもよい。または、携帯端末９の位置情報を表示制御サーバ７に対して送信し、表示制御サーバ７の側で、表示装置データベース７２２を参照して、携帯端末９の最寄りの表示装置６を試験対象として特定するようにしてもよい。
【００４５】
試験結果情報受信部９１２は、表示制御サーバ７から試験結果情報を受信し、表示部９３に表示させる。その際、受信した試験結果情報を参照して、機能や通信経路に異常を有する表示装置６を検出した場合には、異常を警報し、現場作業者に対応を促す。
【００４６】
１−２．防災システム１の動作
防災システム１の動作について説明する。具体的には、火災発生時に防災情報を表示装置６に表示させる防災情報表示動作と、表示装置６の試験動作について説明する。
【００４７】
１−２−１．防災情報表示動作
図９は、防災情報表示動作の一例を示すフローチャートである。この防災情報表示動作は、表示制御サーバ７が火災受信機５から火災情報信号を受信すると実行される。
【００４８】
表示制御サーバ７の火災情報信号受信部７１１により受信された火災情報信号が感知器発報信号である場合（Ｓａ１の「感知器発報信号」）、防災情報生成部７１３は、火災情報信号データベース７２１を参照して、当該信号が示す発報が第１報であるか否かを判定する（Ｓａ２）。この判定の結果、第１報である場合には（Ｓａ２のＹＥＳ）、表示装置６に感知器発報画面を表示させるための処理が実行される。
【００４９】
具体的には、ステップＳａ３において、防災情報生成部７１３は、記憶部７２から感知器発報画面情報を取得する。画面情報が取得されると、表示先特定部７１２は、火災情報信号データベース７２１と連動データベース７２３とを参照して、感知器発報画面を表示させる表示装置６を特定する（Ｓａ４）。表示先が特定されると、防災情報表示制御部７１４は、ステップＳａ３で取得された感知器発報画面情報を含む表示指示を、特定された表示装置６に対して送信する（Ｓａ５）。表示指示の送信後、ステップＳａ４で複数の表示装置６が特定されて、それらすべての表示装置６に対して表示指示が送信されていない場合には（Ｓａ６のＮＯ）、表示指示が送信されていない別の表示装置６についてステップＳａ５が実行される。一方、ステップＳａ４で特定されたすべての表示装置６に対して表示指示が送信された場合には（Ｓａ６のＹＥＳ）、本表示制御動作は終了する。
【００５０】
表示制御サーバ７により送信された表示指示が、表示装置６の防災情報表示指示受信部６１１により受信されると、当該装置の防災情報表示制御部６１２は、当該表示指示に従って表示部６３の表示を非防災情報から感知器発報画面に切り替える。
【００５１】
上記のステップＳａ１の判定において、表示制御サーバ７により受信された火災情報信号が火災確定信号である場合には（Ｓａ１の「火災確定信号」）、または、ステップＳａ２の判定の結果、第１報でないと判定された場合には（Ｓａ２のＮＯ）、表示装置６に火災画面を表示させるための処理が実行される。
【００５２】
具体的には、ステップＳａ７において、表示先特定部７１２は、表示装置データベース７２２を参照して、火災画面を表示させる表示装置６を特定する。表示先が特定されると、防災情報生成部７１３は、特定された表示装置６について、火災情報信号データベース７２１と表示装置データベース７２２とを参照して火災画面情報を生成する（Ｓａ８）。画面情報が生成されると、防災情報表示制御部７１４は、生成された火災画面情報を含む防災情報表示指示を、ステップＳａ７で特定された表示装置６に対して送信する（Ｓａ９）。表示指示の送信後、ステップＳａ７で複数の表示装置６が特定されて、それらすべての表示装置６に対して表示指示が送信されていない場合には（Ｓａ１０のＮＯ）、表示指示が送信されていない別の表示装置６についてステップＳａ９が実行される。一方、特定されたすべての表示装置６に対して表示指示が送信された場合には（Ｓａ１０のＹＥＳ）、本表示制御動作は終了する。
【００５３】
表示制御サーバ７により送信された表示指示が、表示装置６の防災情報表示指示受信部６１１により受信されると、当該装置の防災情報表示制御部６１２は、当該表示指示に従って表示部６３の表示を非防災情報又は感知器発報画面から火災画面に切り替える。
【００５４】
上記のステップＳａ１の判定において、表示制御サーバ７により受信された火災情報信号が非火災信号である場合には（Ｓａ１の「非火災信号」）、表示装置６に非火災画面を表示させるための処理が実行される。
【００５５】
具体的には、ステップＳａ１１において、防災情報生成部７１３は、記憶部７２から非火災画面情報を取得する。画面情報が取得されると、表示先特定部７１２は、火災情報信号データベース７２１と連動データベース７２３とを参照して、非火災画面を表示させる表示装置６を特定する（Ｓａ１２）。表示先が特定されると、防災情報表示制御部７１４は、ステップＳａ１１で取得された非火災画面情報を含む表示指示を、特定された表示装置６に対して送信する（Ｓａ１３）。表示指示の送信後、ステップＳａ１２で複数の表示装置６が特定されて、それらすべての表示装置６に対して表示指示が送信されていない場合には（Ｓａ１４のＮＯ）、表示指示が送信されていない別の表示装置６についてステップＳａ１３が実行される。一方、特定されたすべての表示装置６に対して表示指示が送信された場合には（Ｓａ１４のＹＥＳ）、本表示制御動作は終了する。
【００５６】
表示制御サーバ７により送信された表示指示が、表示装置６の防災情報表示指示受信部６１１により受信されると、当該装置の防災情報表示制御部６１２は、当該表示指示に従って表示部６３の表示を非防災情報又は感知器発報画面から非火災画面に切り替える。
以上が、防災情報表示動作についての説明である。なお、ステップＳａ４、Ｓａ７およびＳａ１２において、連動データベース７２３によらず、全ての表示装置６を特定して、一斉に防災情報を表示させるようにしてもよい。
【００５７】
１−２−２．試験動作
表示装置６の試験動作には、火災受信機５において手動で開始が指示され、表示装置６を試験する手動試験と、火災受信機５において定期的に開始が指示され、すべての表示装置６を試験対象とする自動試験と、携帯端末９において手動で開始が指示され、表示装置６を試験する遠隔試験の３種類がある。以下、これら３種類の試験方法について説明する。
【００５８】
１−２−２−１．手動試験
図１０は、手動試験の動作例を示すシーケンスチャートである。なお、同図には、説明の便宜上、１つの表示装置６しか示されていないが、試験対象となる表示装置６は複数であってよい。
【００５９】
火災受信機５の試験指示信号送信部５１４は、操作入力部５４により試験の指示が受け付けられると、表示装置６の試験を指示する試験指示信号を表示制御サーバ７に対して送信する（Ｓｂ１）。表示制御サーバ７の試験信号送信部７１６は、試験指示信号受信部７１５により試験指示信号が受信されると、表示装置６の試験を行うための試験信号を表示装置６に対して送信する（Ｓｂ２）。試験信号の送信後、送信日時と、送信先の表示装置６のアドレスとを対応付けて、試験結果データベース７２４に格納する（Ｓｂ３）。
【００６０】
表示装置６の試験応答信号送信部６１４は、試験信号受信部６１３により試験信号が受信されると、表示装置６の試験の結果を示す試験応答信号を、表示制御サーバ７に対して送信する（Ｓｂ４）。具体的には、表示部６３が認識されるか否かを判定し、表示部６３が認識されない場合には、自装置のアドレスを含む異常信号を表示制御サーバ７に対して送信し、表示部６３が認識される場合には、自装置のアドレスを含む正常信号を表示制御サーバ７に対して送信する。また、ステップＳｂ４と並行して、試験表示制御部６１５は、試験信号が受信されたことを通知する試験表示情報を、所定時間、表示部６３に表示させる（Ｓｂ５）。
【００６１】
表示制御サーバ７の試験応答信号受信部７１７は、表示装置６から受信する試験応答信号に基づいて、試験結果を試験結果データベース７２４に格納する（Ｓｂ６）。試験応答信号として、正常信号を受信した場合には、当該信号に含まれる表示装置アドレスと対応付けて、通信機能又は経路の状態「正常」と、表示機能の状態「正常」を試験結果データベース７２４に格納する。一方、異常信号を受信した場合には、当該信号に含まれる表示装置アドレスと対応付けて、通信機能又は経路の状態「正常」と、表示機能の状態「異常」を試験結果データベース７２４に格納する。正常信号と異常信号のいずれも受信されないまま、試験信号の送信後、所定時間が経過した場合には、表示装置６のアドレスと対応付けて、通信機能又は経路の状態「異常」と、表示機能の状態「不明」を試験結果データベース７２４に格納する。試験結果情報送信部７１８は、試験対象であるすべての表示装置６についての試験結果が試験結果データベース７２４に格納されると、試験結果データベース７２４に格納された試験結果情報を、火災受信機５に対して送信する（Ｓｂ７）。
【００６２】
火災受信機５の試験結果情報受信部５１５は、表示制御サーバ７から試験結果情報を受信すると、試験結果データベース５２２に格納する（Ｓｂ８）。その際、受信した試験結果情報を参照して、機能や通信経路に異常を有する表示装置６を検出すると、表示部５３や図示せぬ表示灯を介して異常を警報し、現場作業員に対応を促す。
以上が、手動試験についての説明である。
【００６３】
なお、以上説明した手動試験では、すべての表示装置６を試験対象としてもよいし、個別の表示装置６が試験対象として指定されてもよい。また、表示制御サーバ７の試験結果情報送信部７１８は、火災受信機５に送信した試験結果情報を、携帯端末９にも送信してもよい。当該送信は、異常が検出された場合にのみ、行われてもよい。
【００６４】
１−２−２−２．自動試験
自動試験は、現場作業員による手動の指示によらずに、自動的に試験が行われる点で、上記の手動試験と異なる。具体的には、ステップＳｂ１において、火災受信機５の試験指示信号送信部５１４が、定期的に自動で、試験指示信号を表示制御サーバ７に対して送信する点で、上記の手動試験と異なる。その他の処理は、上記の手動試験と同様である。
【００６５】
１−２−２−３．遠隔試験
遠隔試験は、試験指示信号が、火災受信機５ではなく携帯端末９から送信される点において、上記の手動試験と異なる。具体的には、ステップＳｂ２において、表示制御サーバ７の試験指示信号受信部７１５が、火災受信機５ではなく携帯端末９から試験指示信号を受信し、試験信号送信部７１６が、受信された試験指示信号に含まれる表示装置アドレスにより識別される表示装置６に対して試験信号を送信する点において、上記の手動試験と異なる。また、ステップＳｂ７において、表示制御サーバ７の試験結果情報送信部７１８が、火災受信機５だけでなく、携帯端末９に対しても試験結果情報を送信する点において、上記の手動試験と異なる。その他の処理は、上記の手動試験と同様である。なお、遠隔試験では、全ての表示装置６を試験対象としてもよい。また、火災受信機５に表示制御サーバ７の試験指示信号受信部７１５と同様に携帯端末９からの試験指示信号を受信する機能を設け、携帯端末９からの試験指示信号を火災受信機５で受信し、手動試験同様に火災受信機５から試験指示信号を送信するようにしてもよい。
以上が、試験動作についての説明である。
なお、各種試験において、試験結果が正常である場合は、正常であることを試験日時とともに火災受信機５が備える図示しないプリンタで印字したり、火災受信機５の表示部５３に表示したり、携帯端末９の表示部９３に表示したりして確認できるようにするとよい。
【００６６】
以上説明した防災システム１によれば、実際に火災感知器４を火災状態にしなくとも表示装置６の試験を行うことができ、火災発生時等に表示装置６に防災情報が表示されないという事態を防ぐことができる。特に、試験時に、表示装置６に試験表示情報が表示されるため、表示装置６の試験を行う現場作業者は、当該表示装置に試験信号が受信されたことを目視で確認することができる。また、自動試験の場合には、定期的に試験が行われ、異常が有る場合には警報されるため、火災発生時に表示装置６に火災画面が表示されないという事態を防ぐことができる。また、遠隔試験の場合には、現場作業者が火災受信機５を操作することなく、表示装置６の前で試験を実施することができるので、一人で点検作業を行うことができる。
【００６７】
２．変形例
上記の実施形態は、下記のように変形してもよい。なお、下記の２以上の変形例は、互いに組み合わせてもよい。
【００６８】
２−１．変形例１
防火対象物である施設にスプリンクラが設置されている場合には、スプリンクラを火災感知手段として利用してもよい。その場合、火災受信機５の火災感知信号受信部５１１は、作動したスプリンクラの識別情報であるアドレスを含む火災感知信号を受信し、図示せぬスプリンクラデータベースを参照して、当該アドレスに対応する当該スプリンクラの設置場所を特定する。火災情報信号送信部５１３は、火災感知信号受信部５１１により火災感知信号が受信されると、スプリンクラが作動したことを通知するスプリンクラ作動信号を、感知器発報信号の代わりに表示制御サーバ７に送信する。このスプリンクラ作動信号には、作動したスプリンクラのアドレスと設置場所情報とが含まれる。
【００６９】
２−２．変形例２
各試験において、個別の表示装置６を試験対象として指定する場合は、表示装置６に代えて火災感知器４のアドレスを指定して試験を指示することで、火災感知器４と表示装置６の対応関係の試験を行ってもよい。その場合、試験指示信号を受信する表示制御サーバ７の試験信号送信部７１６は、受信された信号に含まれる火災感知器４のアドレスに対応付けて格納されている表示装置６を、連動データベース７２３を参照して特定し、特定した表示装置６に対して試験信号を送信する。このとき、試験信号を受信する表示装置６に、当該装置のアドレスと、当該装置が連動する火災感知器４のアドレスとを含む試験表示情報を表示させることで、現場作業者は、表示装置６と火災感知器４の対応関係を確認することができる。すなわち、連動データベース７２３が正しく設定されているか確認することができる。なお、火災感知器４のアドレスの指定は、火災受信機５の操作入力部５４からの入力や携帯端末９の操作入力部９４からの入力のほか、火災受信機５が備えるアドレスを指定して火災感知器４を試験する火災試験の際に同時に指定されるようにしてもよいし、火災受信機５を試験モードに設定した上で実際に火災感知器４に煙や熱を加えて火災状態にする加煙試験や加熱試験で火災発報したアドレスが指定されるようにしてもよい。
また、表示装置６や火災感知器４のアドレスのほか、設置場所によって試験対象を指定するようにしてもよい、例えば試験対象の地区番号を「１棟１階」として指定すれば、表示制御サーバ７は、表示装置データベース７２２を参照して特定し、「１棟１階」に設置される表示装置６の試験を行うことができる。このようにすれば、点検作業が数日にわたる場合に、棟単位や階単位など所定の設置場所毎に試験を行うことができるため、点検作業の管理がしやすい。
２−３．変形例３
表示制御サーバ７に記憶される防災情報と表示装置６の設置場所情報は、各表示装置６に予め記憶されていてもよい。本変形によれば、表示制御サーバ７は、火災情報信号データベース７２１を参照して特定される作動した火災感知器４の設置場所（すなわち火災発生場所）さえ表示装置６に通知すれば、上記の実施形態と同様に、表示装置６に防災画面を表示させることができる。また、各種試験の際に、設置場所さえ表示装置６に通知すれば、上記の実施形態と同様に、表示装置６を指定して各種試験を行うことができる。
【００７０】
２−４．変形例４
表示装置６は、表示部６３に実際に試験表示情報が表示されていることを検出するための機能をさらに備えて、検出の有無を表示制御サーバ７に通知するようにしてもよい。具体的には、表示装置６は、表示部６３に表示される画面を撮影するためのカメラと、撮影された画像を解析して試験表示情報（例えば、「試験中」というテキスト）を検出するための画像解析部という機能を備えてもよい（いずれも図示略）。または、試験表示情報が、表示部６３の特定の位置に表示される特定色の画像である場合には、当該画像を検出するためのセンサを備えてもよい。試験表示情報の検出結果を示す情報は、試験応答信号に含められて表示制御サーバ７に送信され、表示装置データベース７２２に、付加的に格納されてよい。この変形によれば、表示装置６に実際に試験表示情報が表示されているか否かを確認するにあたり、現場作業者が現場に赴いて、表示装置６の画面を目視で確認する必要がない。なお、カメラを使って試験表示情報を検出する場合、撮影画像の解析処理は、表示制御サーバ７の側で行われてもよい。
【００７１】
２−５．変形例５
携帯端末９は、ＡＲ（拡張現実）技術を用いて、最寄りの表示装置６に関する情報を表示部９３に表示させてもよい。具体的には、携帯端末９は、自端末の位置情報と方位情報とを表示制御サーバ７に送信するための送信部と、表示制御サーバ７から、送信した位置情報と方位情報とに基づいて特定される最寄りの表示装置６に関する情報を受信するための受信部と、受信した情報を、カメラで撮影されている実際の風景に重畳して、表示部９３に表示させるための表示制御部という機能を備えてもよい（いずれも図示略）。この場合、表示制御サーバ７は、表示装置６のアドレスと、当該装置に対応する位置情報と方位情報とを対応付けて格納するデータベースを予め記憶しておく必要がある。なおここで、最寄りの表示装置６に関する情報とは、例えば、表示装置６のアドレスや、試験結果データベース７２４に格納される表示装置６の試験結果である。この機能により、現場作業者が携帯端末９のカメラで表示装置６を撮影すると、携帯端末９の表示部９３に表示装置６の表示部６３に表示されている表示に重畳して、表示装置６に関する情報が表示される。この変形によれば、表示装置６の表示部６３に施設情報等の表示を行ったまま表示装置６に関する情報を表示せず周囲の一般利用者には見えず、携帯端末９を介して表示装置６の表示部６３を見る現場作業者のみ、試験対象の表示装置６のアドレスや試験結果を知ることができる。なお、表示装置６に関する情報は、所謂電子透かし技術を利用して入手するようにしてもよく、表示装置６の表示部６３に人に情報と認識できない表示を行い、その表示を携帯端末のカメラで撮影すると携帯端末９の表示部９３に表示されるようにしてもよい。また、表示装置６に近距離無線通信部を備え、携帯端末９が近距離通信で入手するようにしてもよい。
【００７２】
２−６．変形例６
表示装置６に表示される試験表示情報には、当該情報を表示している表示装置６を特定するための電子看板特定情報が含まれてもよい。ここで電子看板特定情報とは、例えば、表示装置６のアドレスである。その場合、携帯端末９は、表示装置６に表示される試験表示情報に基づいて電子看板特定情報を入力するための入力部と、入力された電子看板特定情報を表示制御サーバ７に対して送信するための電子看板特定情報送信部という機能を備えてもよい（いずれも図示略）。ここで、入力部とは、具体的には、表示部６３に表示される画面を撮影して、画像情報を生成するためのカメラである。または、試験表示情報が、電子看板特定情報を含む二次元コードで表される場合には、試験表示情報を読み取って電子看板特定情報を抽出するためのリーダである。
【００７３】
一方、電子看板特定情報を受信する側である表示制御サーバ７は、携帯端末９から送信される電子看板特定情報を受信するための電子看板特定情報受信部と、電子看板特定情報受信部により電子看板特定情報が受信されると、受信された電子看板特定情報に基づいて、試験表示情報が表示された電子看板を特定するための電子看板特定部という機能を備えてもよい（いずれも図示略）。電子看板特定部により特定された電子看板、すなわち表示装置６は、表示部６３に実際に試験表示情報が表示されたことを確認された表示装置であるから、そのアドレスと、実際に試験表示情報が表示されたことを示す情報とが、表示装置データベース７２２に付加的に格納されてよい。この変形によれば、表示装置６に実際に試験表示情報が表示されていることを表示制御サーバ７に報告するにあたり、現場作業者は、当該表示装置のアドレスを携帯端末９に手入力する必要がない。
【００７４】
２−７．変形例７
火災受信機５は、表示装置６の試験を行う機能に加えて、表示制御サーバ７の試験を行う機能を有していてもよい。その場合、火災受信機５は、試験信号送信部５１６と、試験応答信号受信部５１７という機能をさらに備える（いずれも図示略）。一方、試験対象となる表示制御サーバ７は、試験信号受信部７１９と、試験応答信号送信部７２０という機能をさらに備える（いずれも図示略）。
【００７５】
火災受信機５の試験信号送信部５１６は、操作入力部５４により試験の指示が受け付けられると、又は定期的に（例えば１週間ごとに）、表示制御サーバ７の試験を行うための試験信号を表示制御サーバ７に対して送信する。試験信号送信部５１６は、試験信号の送信後、送信日時と、表示制御サーバ７の識別情報とを対応付けて、試験結果データベース５２２に格納する。
【００７６】
試験応答信号受信部５１７は、表示制御サーバ７の試験応答信号送信部７２０により送信される試験応答信号を受信すると、表示制御サーバ７の識別情報と対応付けて、通信機能又は経路の状態「正常」を試験結果データベース５２２に格納する。一方、試験応答信号が受信されないまま、試験信号の送信後、所定時間が経過した場合には、表示制御サーバ７の識別情報と対応付けて、通信機能又は経路の状態「異常」を試験結果データベース５２２に格納する。そして、表示部５３や図示せぬ表示灯を介して異常を警報し、現場作業員に対応を促す。
【００７７】
表示制御サーバ７の試験信号受信部７１９は、火災受信機５から試験信号を受信する。
【００７８】
試験応答信号送信部７２０は、試験信号受信部７１９により試験信号が受信されると、表示制御サーバ７の試験の結果を示す試験応答信号を、火災受信機５に対して送信する。この試験応答信号は、火災受信機５により受信された場合には、表示制御サーバ７の通信機能と通信経路が正常であることを示すことになる。もし通信機能と通信経路のうち、いずれかに異常が生じている場合には、この信号は火災受信機５により受信されることはない。
【００７９】
図１１は、表示制御サーバ７の試験動作の一例を示すシーケンスチャートである。
【００８０】
火災受信機５の試験信号送信部５１６は、操作入力部５４により試験の指示が受け付けられると、又は定期的に、表示制御サーバ７の試験を行うための試験信号を表示制御サーバ７に対して送信する（Ｓｃ１）。試験信号の送信後、送信日時と、表示制御サーバ７の識別情報とを対応付けて、試験結果データベース５２２に格納する（Ｓｃ２）。表示制御サーバ７の試験応答信号送信部７２０は、試験信号受信部７１９により試験信号が受信されると、表示制御サーバ７の試験の結果を示す試験応答信号を、火災受信機５に対して送信する（Ｓｃ３）。火災受信機５の試験応答信号受信部５１７は、表示制御サーバ７から受信する試験応答信号に基づいて、試験結果を試験結果データベース５２２に格納する（Ｓｃ４）。試験応答信号を受信した場合には、表示制御サーバ７の識別情報と対応付けて、通信機能又は経路の状態「正常」を試験結果データベース５２２に格納する。一方、試験応答信号が受信されないまま、試験信号の送信後、所定時間が経過した場合には、表示制御サーバ７の識別情報と対応付けて、通信機能又は経路の状態「異常」を試験結果データベース５２２に格納する。そして、表示部５３や図示せぬ表示灯を介して異常を警報し、現場作業員に対応を促す。
以上が、表示制御サーバ７の試験動作の一例である。
【００８１】
以上説明した試験動作によれば、防火対象物である施設が工事中でまだ複数の表示装置６が設置されていないような状況でも、火災受信機５と表示制御サーバ７の通信機能又は経路の状態の試験を行うことができる。
【００８２】
２−８．変形例８
上記の実施形態に係る表示装置６は、通信回線８に代えて、火災受信機５から延びる信号線に接続されて、火災受信機５から火災情報信号を受信して防災情報を表示するようにしてもよい。図１２は、このような動作を実現する表示装置６Ａの構成の一例を示す図である。同図に示す表示装置６Ａは、記憶部６２と通信部６４に代えて、記憶部６２Ａと通信部６４Ａを備える点と、制御部６１が記憶部６２Ａに記憶されるプログラムを実行することにより、火災情報信号受信部６１６と、防災情報生成部６１７と、防災情報表示制御部６１２Ａと、試験信号受信部６１３Ａと、試験応答信号送信部６１４Ａと、試験表示制御部６１５Ａという機能を実現する点において、上記の実施形態に係る表示装置６と相違している。
【００８３】
記憶部６２Ａは、表示制御サーバ７の記憶部７２に記憶される防災情報と、火災情報信号データベース７２１と、自装置の設置場所情報をさらに記憶する点において、上記の実施形態に係る記憶部６２と相違している。
【００８４】
通信部６４Ａは、火災受信機５と信号線を介して通信を行うための通信インタフェースである。
【００８５】
火災情報信号受信部６１６は、火災受信機５の火災情報信号送信部５１３により送信された火災情報信号を受信する。具体的には、感知器発報信号、火災確定信号又は非火災信号を受信する。火災情報信号を受信すると、当該信号の情報を受信日時と対応付けて火災情報信号データベース７２１に登録する。
【００８６】
防災情報生成部６１７は、火災情報信号受信部６１６により火災情報信号が受信されると、受信された火災情報信号に対応する防災情報を取得又は生成する。具体的には、第１報の感知器発報を示す感知器発報信号が受信されると、感知器発報画面情報を記憶部６２Ａから取得する。第２報以降の感知器発報を示す感知器発報信号か又は火災確定信号が受信されると、火災画面情報を記憶部６２Ａから取得する。そして、火災情報信号データベース７２１を参照して、それまでに作動した火災感知器４の場所（すなわち火災発生場所）を、火災画面に示される施設の地図上にプロットする。また、自装置の設置場所（すなわち閲覧者の現在位置）を、火災画面に示される施設の地図上にプロットして、火災画面情報を生成する。非火災信号が受信された場合には、非火災画面情報を記憶部６２Ａから取得する。
【００８７】
防災情報表示制御部６１２Ａは、防災情報生成部６１７により防災情報が取得又は生成されると、当該防災情報を表示部６３に表示させる。
【００８８】
試験信号受信部６１３Ａは、火災受信機５から試験信号を受信する。
【００８９】
試験応答信号送信部６１４Ａは、試験信号受信部６１３Ａにより試験信号が受信されると、表示装置６Ａの試験の結果を示す試験応答信号を、火災受信機５に対して送信する。具体的には、試験信号が受信されると、表示部６３が認識されるか否かを判定し、表示部６３が認識されない場合には、自装置のアドレスを含む異常信号を火災受信機５に対して送信する。一方、表示部６３が認識される場合には、自装置のアドレスを含む正常信号を火災受信機５に対して送信する。これらの異常信号及び正常信号は、表示装置６Ａの表示機能の状態を示すとともに、火災受信機５により受信された場合には、表示装置６Ａの通信機能と通信経路が正常であることを示すことになる。もしも通信機能と通信経路のうち、いずれかに異常が生じている場合には、これらの信号は火災受信機５により受信されることはない。
【００９０】
試験表示制御部６１５Ａは、試験信号受信部６１３Ａにより試験信号が受信されると、試験信号が受信されたことを通知する試験表示情報を、所定時間（例えば５〜１０秒）、表示部６３に表示させる。試験表示情報とは、例えば、「試験中」というメッセージであり、表示方法は、図５に示す通りである。
【００９１】
表示装置６Ａが火災受信機５に対して表示制御サーバ７を介さずに接続される場合、火災受信機５は、表示装置６Ａの試験を行うために、試験信号送信部５１６Ａと、試験応答信号受信部５１７Ａという機能をさらに備える（いずれも図示略）。
【００９２】
試験信号送信部５１６Ａは、操作入力部５４により試験の指示が受け付けられると、又は定期的に（例えば１週間ごとに）、表示装置６Ａの試験を行うための試験信号を表示装置６Ａに対して送信する。試験信号送信部５１６Ａは、試験信号の送信後、送信日時と、表示装置６Ａのアドレスとを対応付けて、試験結果データベース５２２に格納する。
【００９３】
試験応答信号受信部５１７Ａは、表示装置６Ａの試験応答信号送信部６１４Ａにより送信される試験応答信号を受信する。試験応答信号として、正常信号が受信された場合には、当該信号に含まれる表示装置アドレスと対応付けて、通信機能又は経路の状態「正常」と、表示機能の状態「正常」を試験結果データベース５２２に格納する。一方、異常信号が受信された場合には、当該信号に含まれる表示装置アドレスと対応付けて、通信機能又は経路の状態「正常」と、表示機能の状態「異常」を試験結果データベース５２２に格納する。正常信号と異常信号のいずれも受信されないまま、試験信号の送信後、所定時間が経過した場合には、表示装置６Ａのアドレスと対応付けて、通信機能又は経路の状態「異常」と、表示機能の状態「不明」を試験結果データベース５２２に格納する。いずれかの異常が検出された場合には、表示部５３や図示せぬ表示灯を介して異常を警報し、現場作業員に対応を促す。
【００９４】
図１３は、表示装置６Ａにより実行される防災情報表示動作の一例を示すフローチャートである。この防災情報表示動作は、表示装置６Ａが火災受信機５から火災情報信号を受信すると実行される。
【００９５】
表示装置６Ａにより受信された火災情報信号が感知器発報信号である場合（Ｓｄ１の「感知器発報信号」）、火災情報信号受信部６１６は、火災情報信号データベース７２１を参照して、当該信号が示す発報が第１報であるか否かを判定する（Ｓｄ２）。この判定の結果、第１報である場合には（Ｓｄ２のＹＥＳ）、表示装置６Ａに感知器発報画面を表示させるための処理が実行される。具体的には、ステップＳｄ３において、防災情報生成部６１７は、記憶部６２Ａから感知器発報画面情報を取得する。画面情報が取得されると、取得された感知器発報画面を表示部６３に表示させる（Ｓｄ４）。感知器発報画面が表示されると、本表示制御動作は終了する。
【００９６】
上記のステップＳｄ１の判定において、表示装置６Ａにより受信された火災情報信号が火災確定信号である場合には（Ｓｄ１の「火災確定信号」）、または、ステップＳｄ２の判定の結果、第１報でないと判定された場合には（Ｓｄ２のＮＯ）、表示部６３に火災画面を表示させるための処理が実行される。具体的には、ステップＳｄ５において、防災情報生成部６１７は、火災情報信号データベース７２１と記憶部６２Ａに記憶される自装置の設置場所情報とを参照して火災画面情報を生成する。画面情報が生成されると、生成された火災画面を表示部６３に表示させる（Ｓｄ６）。火災画面が表示されると、本表示制御動作は終了する。
【００９７】
上記のステップＳｄ１の判定において、表示装置６Ａにより受信された火災情報信号が非火災信号である場合には（Ｓｄ１の「非火災信号」）、表示部６３に非火災画面を表示させるための処理が実行される。具体的には、ステップＳｄ７において、防災情報生成部６１７は、記憶部６２Ａから非火災画面情報を取得する。画面情報が取得されると、取得された非火災画面を表示部６３に表示させる（Ｓｄ８）。非火災画面が表示されると、本表示制御動作は終了する。
以上が、防災情報表示動作についての説明である。
【００９８】
図１４は、表示装置６Ａの試験動作の一例を示すシーケンスチャートである。
【００９９】
火災受信機５の試験信号送信部５１６Ａは、操作入力部５４により試験の指示が受け付けられると、又は定期的に、表示装置６Ａの試験を行うための試験信号を表示装置６Ａに対して送信する（Ｓｅ１）。試験信号の送信後、送信日時と、表示装置６Ａのアドレスとを対応付けて、試験結果データベース５２２に格納する（Ｓｅ２）。
【０１００】
表示装置６Ａの試験応答信号送信部６１４Ａは、試験信号受信部６１３Ａにより試験信号が受信されると、表示装置６Ａの試験の結果を示す試験応答信号を、表示制御サーバ７に対して送信する（Ｓｅ３）。具体的には、表示部６３が認識されるか否かを判定し、表示部６３が認識されない場合には、自装置のアドレスを含む異常信号を火災受信機５に対して送信し、表示部６３が認識される場合には、自装置のアドレスを含む正常信号を火災受信機５に対して送信する。また、ステップＳｅ３と並行して、試験表示制御部６１５Ａは、試験信号が受信されたことを通知する試験表示情報を、所定時間、表示部６３に表示させる（Ｓｅ４）。
【０１０１】
火災受信機５の試験応答信号受信部５１７Ａは、表示装置６Ａから受信する試験応答信号に基づいて、試験結果を試験結果データベース５２２に格納する（Ｓｅ５）。試験応答信号として、正常信号を受信した場合には、当該信号に含まれる表示装置アドレスと対応付けて、通信機能又は経路の状態「正常」と、表示機能の状態「正常」を試験結果データベース５２２に格納する。一方、異常信号を受信した場合には、当該信号に含まれる表示装置アドレスと対応付けて、通信機能又は経路の状態「正常」と、表示機能の状態「異常」を試験結果データベース５２２に格納する。正常信号と異常信号のいずれも受信されないまま、試験信号の送信後、所定時間が経過した場合には、表示装置６Ａのアドレスと対応付けて、通信機能又は経路の状態「異常」と、表示機能の状態「不明」を試験結果データベース５２２に格納する。いずれかの異常が検出された場合には、表示部５３や図示せぬ表示灯を介して異常を警報し、現場作業員に対応を促す。
以上が、表示装置６Ａの試験動作の一例である。
【０１０２】
以上説明した試験動作によれば、火災受信機５に対して表示制御サーバ７を介さずに接続される表示装置６Ａの試験を行うことができる。
２−９．変形例９
各種試験において、表示装置６の表示部６３に試験表示情報を表示せず、通信機能又は経路の状態のみを確認する試験としてもよい。
【符号の説明】
【０１０３】
１…防災システム、２…自動火災報知設備、３…表示システム、４…火災感知器、５…火災受信機、６、６Ａ…表示装置、７…表示制御サーバ、８…通信回線、９…携帯端末、５１…制御部、５２…記憶部、５３…表示部、５４…操作入力部、５５…第１通信部、５６…第２通信部、６１…制御部、６２、６２Ａ…記憶部、６３…表示部、６４、６４Ａ…通信部、７１…制御部、７２…記憶部、７３…通信部、９１…制御部、９２…記憶部、９３…表示部、９４…操作入力部、９５…通信部、５１１…火災感知信号受信部、５１２…火災判定部、５１３…火災情報信号送信部、５１４…試験指示信号送信部、５１５…試験結果情報受信部、５１６、５１６Ａ…試験信号送信部、５１７、５１７Ａ…試験応答信号受信部、５２１…感知器データベース、５２２…試験結果データベース、６１１…防災情報表示指示受信部、６１２、６１２Ａ…防災情報表示制御部、６１３、６１３Ａ…試験信号受信部、６１４、６１４Ａ…試験応答信号送信部、６１５、６１５Ａ…試験表示制御部、６１６…火災情報信号受信部、６１７…防災情報生成部、７１１…火災情報信号受信部、７１２…表示先特定部、７１３…防災情報生成部、７１４…防災情報表示制御部、７１５…試験指示信号受信部、７１６…試験信号送信部、７１７…試験応答信号受信部、７１８…試験結果情報送信部、７１９…試験信号受信部、７２０…試験応答信号送信部、７２１…火災情報信号データベース、７２２…表示装置データベース、７２３…連動データベース、７２４…試験結果データベース、９１１…試験指示信号送信部、９１２…試験結果情報受信部
【図１】
2020184348.tif 000003
【図２】
2020184348.tif 000004
【図３】
2020184348.tif 000005
【図４】
2020184348.tif 000006
【図５】
2020184348.tif 000007
【図６】
2020184348.tif 000008
【図７】
2020184348.tif 000009
【図８】
2020184348.tif 000010
【図９】
2020184348.tif 000011
【図１０】
2020184348.tif 000012
【図１１】
2020184348.tif 000013
【図１２】
2020184348.tif 000014
【図１３】
2020184348.tif 000015
【図１４】
2020184348.tif 000016